(57)【要約】【課題】横幅方向の中央部位置に運転席を搭載するシートカバー、乃至シートベースの上面には、運転席のシートマット部が高く突出して装着されて、このシートマット上面に着座した姿勢での操作レバーの操作性を良くするために、シートマット部の真横位置のシートベース、乃至エンジンカバー上面に、クラッチレバーや、チェンジレバー、及びこれらのレバーガイド穴等を形成することが多い。【解決手段】運転席３の横側に、フェンダー５上の外側端部に亘って広幅に形成するシートベース６の中央部に、シートマット７を嵌合させて支持する所定深さの凹形状シート受部８を形成し、このシート受部８の外側部に、このシート受部８に嵌合させるシートマット７上面部と略同高さの平坦状のベンチパネル９を形成したことを特徴とする運搬車の運転席の構成とする。【選択図】図１
2015155268.tif 000002
【特許請求の範囲】
【請求項１】
車体（１）前端部の運転フロア（２）上に運転席（３）とハンドル（４）、ハンドルポスト（５）を配置して、このハンドル（４）の向きを前後方向へ振替えて乗用、歩行兼用とする運搬車の運転席において、前記運転席３の横側に、フェンダー（５）上の外側端部に亘って広幅に形成するシートベース（６）の中央部に、シートマット（７）を嵌合させて支持する所定深さの凹形状シート受部（８）を形成し、このシート受部（８）の外側部に、このシート受部（８）に嵌合させるシートマット（７）上面部と略同高さの平坦状のベンチパネル（９）を形成したことを特徴とする運搬車の運転席。
【請求項２】
前記シート受部（８）の横側のシートベース（６）を、エンジンルーム（１０）上側部を覆うエンジンカバー（１１）として、このシートベース（６）の外側端部の回動ヒンジ（１２）の周りに外側上方へ開閉回動可能に構成したことを特徴とする請求項１に記載の運搬車の運転席。
【請求項３】
前記シート受部（８）の左右両側部、又はこのシート受部（８）に支持するシートマット（７）の左右両側部で、着座面の後半部に対向する位置に、適宜高さの突条部（１３）、又はハンドル（１４）を突出形成して、運転者の着座位置を滑り止め保持することを特徴とする請求項１、又は２に記載の運搬車の運転席。
【請求項４】
前記シート受部８の一側部のシートベース（６）を、フェンダー５上面に接近させて段状にサイドベース（１５）を形成し、このサイドベース（１５）の後側部に操作レバー（１６）を設けることを特徴とする請求項１、２、又は３に記載の運搬車の運転席。
【発明の詳細な説明】
【技術分野】
【０００１】
この発明は、車体の前端部に運転席、及び前後振替可能のハンドルを設けた乗用、歩行兼用の運搬車において、運転者が乗降し易くした運転席に関する。
【背景技術】
【０００２】
車体前端部の運転席フロア上後側部に車体幅方向に亘って広幅のシートカバーを設け、このシートカバー中央部上面に運転席を搭載する技術（例えば、特許文献１参照）が知られている。
【先行技術文献】
【特許文献】
【０００３】
【特許文献１】特開２００３−３９９６７号公報
【発明の概要】
【発明が解決しようとする課題】
【０００４】
横幅方向の中央部位置に運転席を搭載するシートカバー、乃至シートベースの上面には、運転席のシートマット部が高く突出して装着されて、このシートマット上面に着座した姿勢での操作レバーの操作性を良くするために、シートマット部の真横位置のシートベース、乃至エンジンカバー上面に、クラッチレバーや、チェンジレバー、及びこれらのレバーガイド穴等を形成することが多い。
【０００５】
又、前記シートベース前側の運転フロアは、前側にハンドルポストを配置し、左右両側部には前輪上部を覆うフェンダーを配置し、又、シートマット部の下方にはエンジンルームを形成する等によって狭く制限される。そして、運転者がシートベース上のシートマット面に乗降するときは、運転フロア面上に一旦踏上って、立ちシートマット上面に着座したり、離席することとなるため、乗降動姿勢には窮屈であり、足腰の弱い高齢者の運転操作には適応し難い。
【課題を解決するための手段】
【０００６】
請求項１に記載の発明は、車体１前端部の運転フロア２上に運転席３とハンドル４、ハンドルポスト５を配置して、このハンドル４の向きを前後方向へ振替えて乗用、歩行兼用とする運搬車の運転席において、前記運転席３の横側に、フェンダー５上の外側端部に亘って広幅に形成するシートベース６の中央部に、シートマット７を嵌合させて支持する所定深さの凹形状シート受部８を形成し、このシート受部８の外側部に、このシート受部８に嵌合させるシートマット７上面部と略同高さの平坦状のベンチパネル９を形成したことを特徴とする運搬車の運転席の構成とする。
【０００７】
運搬車を乗用走行形態として運搬走行操作するときは、ハンドルポスト５上のハンドル４を後側運転席３側に向けて、運転者が運転席３に着座した状態で、この前側のハンドル４を把持操作して、前輪を操向しながらエンジンルーム１０内に搭載のエンジンの駆動によって走行することができる。又、運搬車を歩行運行するときは、前記ハンドル４を前側へ振替え操作して、運転者は運転席３及びフロア２から降りた状態で、ハンドル４の前側位置から後側の運転席３の側へ対面した状態で、路面を歩行し、ハンドル４を把持操作しながら、前輪を操向して歩行操作することができる。
【０００８】
前記運転席３中央部のシートマット７上座面と、この左右外側部に形成のシートベース６のベンチパネル９面とを、略同一高さ面に形成することによって、運転席３のシートマット７上面と、ベンチパネル９上面とが、左右横方向に亘って幅広く形成されたベンチ形態として、横端部を運転席フロア２の外側端後部に開放させて、運転者がこの運転フロア２の外側端部から乗降するときは、手、腕部や、胸部等の上部身体の一部をベンチパネル９上面から中央部のシートマット７面に支持案内させて、運転者は直接運転フロア２上に立ち上らなくても、横側のベンチパネル９上面にもたれた姿勢、乃至、臀部を滑らせながらの姿勢で、安全な乗降姿勢となり易く、迅速に乗降することができる。
【０００９】
請求項２に記載の発明は、前記シート受部８の横側のシートベース６を、エンジンルーム１０上側部を覆うエンジンカバー１１として、このシートベース６の外側端部の回動ヒンジ１２の周りに外側上方へ開閉回動可能に構成したことを特徴とする。
【００１０】
前記シートベース６下側のエンジンルーム１０内の点検、補修等のメンテナンスを行うときは、前記シートマット７をシート受部８に嵌合させたシートベース６を、この外側端部の回動ヒンジ１２の周りに上方外側部へ向けて起立回動させて、エンジンルーム１０の上側面を開放することができる。又、この開放回動状態のシートベース６を、前記回動ヒンジ１２周りにエンジンルーム１０上側部へ向けて回動することにより、エンジンルーム１０上側面を閉鎖して、運転者の着座しうる形態とすることができる。このようにシートベース６は上側面にシートマット７や、バックレスト等を配置するが、運転フロア２上の左右横方向に沿うように開閉回動されるため、このシートベース６の前側にハンドル４が接近した状態にあっても、又、シートベース６の後側に荷台等が接近する形態にあっても、このシートベース６の開閉回動の邪魔になり難く、開閉回動操作を行い易くする。
【００１１】
請求項３に記載の発明は、前記シート受部８の左右両側部、又はこのシート受部８に支持するシートマット７の左右両側部で、着座面の後半部に対向する位置に、適宜高さの突条部１３、又はハンドル１４を突出形成して、運転者の着座位置を滑り止め保持することを特徴とする請求項１、又は２に記載の運搬車の運転席とする。
【００１２】
シートベース６上面は、中央部のシート受部８上のシートマット７面部から、この一側外側端部に亘って、略平坦なベンチパネル９を形成して、運転者の乗降時の身体や手腕部の摺動支持を円滑に行わせることができ、臀部をシートマット７上面へ摺動案内して着座を容易に行わせる。シートマット７上面に着座したとき、運転姿勢となると、着座臀部の左右両側部に、このシートマット７上面の突条部１３部が位置するか、又は、シート受部８の左右外側部のハンドル１４部が位置して、臀部の左右移動が停止されるため、運転姿勢を安定維持する。
【００１３】
請求項４に記載の発明は、前記シート受部８の一側部のシートベース６を、フェンダー５上面に接近させて段状にサイドベース１５を形成し、このサイドベース１５の後側部に操作レバー１６を設けることを特徴とする請求項１、２、又は３に記載の運搬車の運転席とする。
【００１４】
前記のようにシート受部の左右一側部には、外側のフェンダー５上面部に亘ってベンチパネル９を形成し、このベンチパネル９部側とは反対の側には、低く段状形態にサイドベース１５を形成して、このサイドベース１５上面を開放させて、この開放部に向け操作レバー１６の突出部を配置できる。又、別の操作レバー１６等の突出部材は、このサイドベース１５の後側部に配置されるため、運転者が運転席３に乗降するときには、この操作レバー１６を直接押さえるような邪魔にはなり難く、しかも、運転者がシートマット７上面に着座した姿勢においては、この横側後部の操作レバー１６側へ手を伸ばして把持操作し易い状態となる。
【発明の効果】
【００１５】
請求項１に記載の発明は運転席３の中央部のシートマット７面と、このシートマット７を受けるシート受部８の左、右一側部のシートベース６のベンチパネル９面とが、左右横方向に亘って幅広く、略同一高さ面に形成されるため、運転者がこれらのベンチパネル９面やシートマット７の上面に身体上部の一部を支持し、もたれるようにして、摺動案内しながら、安全な姿勢で、迅速に乗降することができる。特に、ベンチパネル９面とシートマット７面とが、ベンチ形態に、同高位置に形成されると、手腕部や上身体部等のもたれ支持、乃至臀部の摺動移動案内を円滑に行わせることができ、乗降動の安全を維持することができる。
【００１６】
又、前記シートベース６の中央部にシート受部８を形成するため、シートマット７の厚さを厚くして、座り易くし、疲れ難くし、シートマット７の移動を防止して、安定した支持姿勢を維持することができる。しかも、前記シートベース６は、略幅広く  面で平坦なベンチパネル９と、このシートマット７の支持面を適宜深さに窪ませたシート受部８との形態によるものであるから、板金材を主体として簡潔的形態として、簡単に成形することができる。運転者の腰や、臀部、手腕等の、もたれ、支持摺動を円滑に維持し、乗降し易い形態として、安価に生産することができる。
【００１７】
請求項２に記載の発明は、シート受部８を形成した横幅の広いシートベース６を、この横端部の回動ヒンジ１２の周りに、上方外側部へ向けて起立回動することによって、エンジンルーム１０上を開閉するものであるから、運転フロア２上側部の前側ハンドル４部と後側荷台部との間の前後フロア２上面間隔を狭く形成しても、このシートベース６の開閉回動を容易に行わせることができ、運転フロア２や、運転フロア２の上部のハンドル４の前方突出形態を短く設定して、車体１前端の突出長さを短縮化して、運転操作し易い、簡単な構成とすることができる。しかも、エンジンルーム１０上を広く開放してメンテナンス性を良好とすることができる。
【００１８】
請求項３に記載の発明は、前記シート受部８を形成する一側部のシートベース６の上面が、前記シート受部８のシートマット７上面と略同高さ面のベンチパネル９面に形成されて、運転者の乗降振動を円滑に案内させて、シートマット７面に対する乗降作用を行い易くすることができる。又、このシートマット７や、ベンチパネル９のシート受部８外側縁近く位置には、着座面の後半部位置に、突条部１３部、又はハンドル１４を突出させているため、着座姿勢の臀部を、若干後側へ移動させて、これら左右両側部の突条部１３間、又はハンドル１４間に位置させて、運転操作することによって、臀部の着座姿勢を安定保持することができ、的確な運転操作を行うことができる。
【００１９】
請求項４に記載の発明は、前記左右のフェンダー１８上面に亘って設けるシートベース６には、中央部にシート受部８を形成して、このシート受部８の左右一側部には、ベンチパネル９を幅広く形成し、他側部には、このベンチパネル９部よりも低くしたサイドベース１５を形成するものであるから、運転者は、シートマット７の左右いずれの側から乗降しても、簡単、容易に乗降することができる。高いベンチパネル９の側から乗降するか、低いサイドベース１５側から乗降するかの、運転者に適応するように選択することができる。しかも、このサイドベース１５側から乗降するとき、操作レバー１６等の突出部材は、サイドベース１５上面の開放部、又は、側面視シートマット７の後部位置に配置されるため、この操作レバー１６等を押さえることはなく、安全な姿勢で乗降することができる。又、シートマット７の着座した姿勢で、操作レバー１６を操作するときは、運転者の手の届き易い後側部位置にあるから、簡単、容易な操作を行うことができる。
【００２０】
しかも、これら中央部のシート受部８と、この外側部のベンチパネル９、及びサイドベース１５等は、左右のフェンダー１８上面に亘る横幅広いシートベース６として一体的に形成されるものであるから、構成が簡単であり、前記のように回動ヒンジ１２周りに開閉回動する操作も簡単であり、広く開放することができる。
【図面の簡単な説明】
【００２１】
【図１】運搬車の側面図。
【図２】その平面図。
【図３】その正面図。
【図４】その一部作動状態を示す正面図。
【図５】運転フロア部の平面図。
【図６】その側面図。
【図７】その正面図。
【図８】ハンドル部の正面図。
【図９】操作パネル部の斜視図。
【図１０】操作パネル部の斜視図。
【図１１】ハンドル部の振替状態を示す側面図。
【図１２】乗車運転時ハンドル部の側面図。
【図１３】その走行クラッチレバー部、及びロックピン部の操作状態を示す側面図。
【図１４】ハンドル、及び走行クラッチレバー部の操作状態を示す側面図。
【図１５】ハンドルの振替位置を検出するハンドルセンサー部の側面図。
【図１６】前後進レバー部の斜視図。
【発明を実施するための形態】
【００２２】
図面に基づいて、運搬車は、車体１の前部に左右一対の前輪１９を操向可能に設け、後部に左右一対の後輪２０を軸装して、前記前輪１９間隔部のエンジンルーム１０に搭載のエンジン２１によって、これら後輪２０、又は前輪１９を連動駆動して走行する四輪走行形態の構成としている。車体１の後部上にはダンプシリンダーの伸縮によって、ダンプ軸２３周りにダンプ回動可能の荷台２４を設ける。車体１の前端部に、左右の前輪１９間隔部から前側へ張出する運転フロア２を設け、このフロア２の前部中央部にハンドル４を有するハンドルポスト５を立設する。運転者が左右のハンドル４を把持して、ハンドルポスト５を上下方向の操向軸の周りに回動することにより、前記前輪１９を操向することができる。
【００２３】
前記運転フロア２の中央部は、左右前輪１９間の間隔部に亘って形成され、この左右両側端縁を前輪１９の上周部を覆うフェンダー１８の下端部に連結している。この左右前輪１９間の間隔部後側部にエンジン２１を搭載し、上周部をシートベース６で覆って、エンジンルーム１０を形成する。このシートベース６は、両端部を左右両側部のフェンダー１８上面に位置させ、横幅広く板金製に構成してある。前記シートベース６は、横幅方向の略中央部位置に運転席３を構成し、この運転席３の一側部には、略平坦面状のベンチパネル９を形成する。この他側部には低く段違いに形成のサイドベンチ１５を構成する。このサイドベンチ１５は、前記シートベース６と別形態に構成しているが、一体的に連結した形態とすることもできる。
【００２４】
シートベース６の中央部には、適宜深さのシート受部８を凹状形成して、所定厚さのシートマット７を嵌合させて取付支持する。このシートマット７の上面を一側のベンチパネル９上面と略同高さに形成して、運転者の着座面を形成する。このシートマット７の上面はベンチパネル９面よりも若干高く形成することも良好である。そして、このシートベース６の中央部位置に形成されるシート受部の外周縁部には、前記ベンチパネル９の他、これと反対側にサイドエッジ２６を形成し、前側部にフロントエッジ２７を形成し、後側部にリヤエッジ２８を各々適宜幅に形成している。
【００２５】
前記シート受部８に嵌合支持させるシートマット７の後半部で左右両側部には、前後方向に沿って突条部１３を形成する。この突条部１３は、シートマット７面の左右側端部を上側へ適宜高さに山形状断面に膨出させて形成したもので、着座面からの臀部の滑り出しを阻止する。この突条部１３は、シートマット７の左右両側端部に沿って、シートマット７の前後中間位置から後端部に亘って一直条形態に形成している。
【００２６】
又、前記シート受部８の外周部に沿うベンチパネル９部や、これとは反対側のサイドエッジ２６部には、前後方向に沿ってループ状形態のハンドル１４が設けられて、運転者が容易に把持することができる。又、このシート受部８の後側部のエッジ２８部には、バックレスト２９を設けて、運転者がもたれうる形態としている。又、前記ベンチパネル９の中央部には、エンジンルーム１０側方の燃料タンク３０部上に対向して開口３１を形成している。この開口３１部は、できるだけ後側部に形成して、開口３１の前側のベンチパネル９面を広く形成する。
【００２７】
前記シートベース６の外周縁部には、下方適宜高さの周縁部を形成して、エンジンルーム１０の外側上周部を閉鎖することができる。このシートベース６の外側端後側部を、エンジンルーム１０の外側部に設けた回動ヒンジ１２周りに、上下開閉回動可能に取付けて、運転者がこのシートベース６のサイドエッジ２６部を持上げて、反対側の回転ヒンジ１２上部側へ起立回動することにより、エンジンルーム１０の上側部を広く開放することができる。
【００２８】
前記エンジンルーム１０は、この左右フェンダー１８間に亘ってエプロン１７を形成して、前側のフロア２上側部の足元スペースとの間を仕切る。このエプロン１７は、板金製、乃至樹脂板製として、前記シートベース６を閉鎖することにより、フロントエッジ２７部の下端縁が、エプロン１７の上面に接近重合して、エンジンルーム１０の前側面部を密閉状に維持することができる。
【００２９】
前記シートベース６の左手側に形成のサイドベンチ１５は、フェンダー１８上側に低く段状に形成されて、このサイドベンチ１５の後側部に操作レバー１６を案内するレバーガイド３２を設ける。この操作レバー１６としては、車体１の走行方向を前、後進に切替えるチェンジレバー３３と車輪の連動状態を二駆、四駆に切替える二駆、四駆切替レバー３４、前記荷台２４をダンプできるダンプレバー３５等を有する。前記、チェンジレバー３３は、前輪１９、及び後輪２０の伝動装置を前進走行側伝動に切替えたり、又後進走行側伝動に切替えて、伝動させるものである。又、二駆、四駆切替レバー３４は、後輪２０のみ伝動駆動して二駆走行したり、前輪１９と後輪２０を同時駆動して、四駆走行することができる。又、ダンプレバー３５は、前記ダンプシリンダ２２の油圧回路の切替弁を操作して、荷台２４のダンプ作動を行わせるものである。このような操作レバー１６を行うときは、シートマット７に着座した運転者が、左手を突条部１３、及びハンドル１４越しに横側後側部位置へ伸ばして、操作レバー１６を選択把持しながら所定の操作を行うことができる。
【００３０】
前記フロア２の左足元側には、アクセルペダル３６と、ブレーキペダル３７を設け、左足元側には、クラッチペダル３８を配置している。又、前記ハンドルポスト５の上端部には、Ｕ字ガイド３９に案内させて前後回動する走行クラッチレバー４０と、ガイド４１に案内させて前後回動するブレーキレバー４２を設ける。走行クラッチレバー４０を前後方向へ回動操作することにより、伝動ベルトを張圧して、走行伝動状態に切替えたり、非伝動状態に切替えることができる。Ｕ字ガイド３９の一側を低速Ｌ側とし、他側を高速Ｈ側としている。走行クラッチレバー４０を後端部から下側の制動位置Ｂに案内すると、走行クラッチレバー４０の回動に伴いブレーキレバー４２がガイド４１の後端部Ｃに向け回動し、ブレーキを効かせることができる。又、前記ブレーキレバー４２がガイド４１の前部に位置するときはブレーキ解除状態となるが、後端部Ｃに操作するとブレーキ制動（駐車ブレーキ）状態となる。
【００３１】
前記走行クラッチレバー４０の操作によるテンションクラッチプーリ４４，４５がテンションアーム軸４６周りに回動揺動可能に設けられ、エンジン２１の出力軸４７に装着したエンジンプーリＥＰと、走行伝動側の入力プーリ４８との間に、掛け渡された低速Ｌベルト４９と、高速Ｈベルト５０の回転周面を押圧して、低速Ｌ、又は高速Ｈのベルトテンションクラッチを入り切り操作する形態としている。これらテンションクラッチプーリ４４，４５は、前記ハンドルポスト５上の走行クラッチレバー４０の操作によって、レバー軸５１上に配置のクラッチヨーク５２，５３、引きアーム５４，５５及びこれらに連結するワイヤー５６，５７を介して、各ベルト４９，５０を押圧して、クラッチを入り切り作動する形態である。又、前記テンションクラッチプーリ４４，４５のアームには、クラッチペタル３８がワイヤー５８を介して連動されて、前記ハンドル４側の走行クラッチレバー４０が「入」状態にあっても、クラッチペダル３８を踏み込むことによって、テンションクラッチプーリ４４，４５による伝動を切ることができる。
【００３２】
前記ハンドルポスト５の上端部に、二又状形態のハンドル４の中央部に形成されるハンドル軸６２を、前後振替回動可能に設け、このハンドル支軸６２の後側上部近傍位置にレバー軸５１を配置している。これらハンドル支軸６２とレバー軸５１部とは、適宜間隔位置に接近されていて、ハンドル支軸６２部とレバー軸５１部との間に設けられる牽制機構６１によって、このハンドル４を歩行運転位置ｆへ操作するときや、操作しているときは、走行クラッチレバー４０を走行クラッチ切り位置へ作動したり、高速Ｈ位置への操作を不可能の状態に牽制して、安全な歩行運転を行うことができる。このレバー軸５１の周りに左右一対のクラッチヨーク５２，５３を回動自在に支持し、この低速Ｌ側クラッチヨーク５２の外側端部に、ブレーキレバー４２とブレーキヨーク６０を回動自在に設けて、スプリング５９で外側へ張圧させている。前記走行クラッチレバー４０の基部は、レバー軸５１の周りに回動自在に嵌合支持されるメタルボス６６に対して、左右方向へ回動自在に設けられて、この走行クラッチレバー４０を左右両側部のクラッチヨーク５２，５３のいずれかに係合させて、前後方向へ回動操作できる。これら各クラッチヨーク５２，５３には、連係アーム６７，６８を介して、各テンションクラッチプーリ４４，４５のクラッチアーム６９，７０にワイヤー５６，５７連係している。又、前記ブレーキヨーク６０は、連係アーム及び、ワイヤーを介して、前記ブレーキペダル３７で制動するブレーキに連係して、歩行運転操作時には、このブレーキレバー４２を操作することによって、走行ブレーキを効かせることができる。
【００３３】
前記レバー軸５１周りに支持される高速Ｈ側のクラッチヨーク５３に、牽制アーム６３の上端部を連係し、この牽制アーム６３の下端部に設けるガイドロール７１を、前記ハンドル軸６２に固定したプレートアーム６４に形成の円弧状の案内穴６５に嵌合連係させて、このハンドル４の位置によって高速Ｈ側クラッチヨーク５３の操作位置を牽制する形態である。
【００３４】
そして、図１１のように前記走行クラッチレバー４０を高速Ｈ位置に操作して、高速Ｈ側のテンションクラッチプーリ４５をクラッチ「入」の状態にしているときは、高速Ｈ側のクラッチヨーク５３、及び牽制アーム６３を後側へ引き寄せて、この牽制アーム６３のガイドロール７１を、案内穴６５の後端縁に位置させて、係合状態にあるため、ハンドル４を前側へ回動して歩行運転位置へ操作すると、これら牽制アーム６３や、クラッチヨーク５３を介して、走行クラッチレバー４０をクラッチ「切」位置へ回動する。（図１１のＢ）又、前記ハンドル４が歩行運転位置ｆにあるときは、走行クラッチレバー４０を高速Ｈ位置へ操作しても、牽制アーム６３のガイドロール７１が、歩行運転位置ｆにあるプレート６４の案内穴６５の後端縁に係合されていて、走行クラッチレバー４０を前側高速Ｈ位置へ操作することができない。（図１４のＡ）
【００３５】
又、このような走行クラッチレバー４０をガイド３９の後端部の切り位置Ｎから制動位置Ｂへ回動操作すると、レバー軸５１周りに、ブレーキヨーク６０や、ブレーキレバー４２をガイド４１の後端部Ｃ側へ回動して（図９）、ブレーキを動かすことができる。又、主として、図１１，図１３において、前記ハンドル軸支６２部の下部には、ハンドル４の前後回動位置をロックするロックピン７２を出没するためのロックレバー７３を設け、運転者がレバー７３操作で、ロックピン７２を、ハンドル軸支６２側のメタル７４に配置形成のピン穴７５に係合させることによって、ハンドル４を前側の歩行運転位置ｆや、後側の乗車運転位置ｒ、乃至前後中間部の直立位置ｔ等に固定することができる。尚、この直立位置ｔは運転者が乗り降りする際にハンドル４が邪魔にならないよう乗車運転位置ｒよりも前方へ起立回動させた位置に一時的に固定できるものであり、乗車後はハンドル４を乗車運転位置ｒに切替えて運転を行う。
【００３６】
又、主として図１２において、前記ハンドルポスト５の内側部には、走行クラッチレバー４０のクラッチ入り位置を検出するリミットスイッチ７６を設け、このリミットスイッチ７６がクラッチ入りを検出することによって、エンジン２１を始動できないように構成している。又、主として図１５において、前記ハンドル軸支６２の外周部には、ハンドル４の前後振替位置をカム７８の回転位置を検出するリミットスイッチ７７からなるハンドルセンサを設け、このハンドル４が歩行運転位置ｆにあって、前記チェンジレバー３３が前進二速Ｆ２位置に入ったときは、エンジン２１を停止し、又は始動しないように作動するものである。
【００３７】
又、主として、図１６において、前記チェンジレバー３３のレバーガイド３２には、レバー３３の案内操作される前後方向のガイド穴７９の外側（運転席３の位置する側とは反対側）縁に沿って、チェンジレバー３３の変速操作位置を停止する凹部の後進Ｒ、前進一速Ｆ１、前進二速Ｆ２と、これら各凹部間の凸部ＮＣとを交互に形成して、変速操作しうる形態としている。又、前記チェンジレバー３３の基部には、このチェンジレバー３３を回動ボス８１のブラケット８０に支持ピン８２で左右方向へ揺動自在に支持して、スプリング８３で外側へ張圧付勢している。又、この回動ボス８１は、アーム８４にプッシュプルワイヤー８５を連係して、車体１後部に配置のミッションケース８６の変速ギヤを連係操作するように構成している。又、前記回動ボス８１の突起８７に対向してリミットスイッチ８８を設け、前記チェンジレバー３３を二速位置Ｆ２に操作していて、かつ、前記、ハンドル４が歩行運転位置ｆにあるときは、前記エンジン２１を停止し、又は始動しないように制御させる。チェンジレバー３３の操作は、運転席３側に着座する運転者が、手を横側後方へ伸ばして、チェンジレバー３３を把持して、スプリング８３に抗して、各凹部からガイド穴７９側へ引き出して、前後方向へ回動しながら、目的の凹部の前進一速Ｆ１，前進二速Ｆ２、又は後進Ｒ等の位置へ操作する。
【符号の説明】
【００３８】
１    車体
２    フロア
３    運転席
４    ハンドル
５    ハンドルポスト
６    シートベース
７    シートマット
８    シート受部
９    ベンチパネル
１０  エンジンルーム
１２  回動ヒンジ
１３  突条部
１４  ハンドル
１５  サイドベンチ
１６  操作レバー
１７  エプロン
１８  フェンダー
【図１】
2015155268.tif 000003
【図２】
2015155268.tif 000004
【図３】
2015155268.tif 000005
【図４】
2015155268.tif 000006
【図５】
2015155268.tif 000007
【図６】
2015155268.tif 000008
【図７】
2015155268.tif 000009
【図８】
2015155268.tif 000010
【図９】
2015155268.tif 000011
【図１０】
2015155268.tif 000012
【図１１】
2015155268.tif 000013
【図１２】
2015155268.tif 000014
【図１３】
2015155268.tif 000015
【図１４】
2015155268.tif 000016
【図１５】
2015155268.tif 000017
【図１６】
2015155268.tif 000018